(57)【要約】      （修正有）【課題】モバイル通信デバイスの電子メッセージサイズを減少させるシステム及び方法が提供される。【解決手段】モバイル通信デバイス１０は、受信された電子メッセージ内のアドレスカード情報を識別し得る。このモバイル通信デバイス１０は、その後、モバイル通信デバイスに電子メッセージの減少バージョンを自動的に表示し得る。そのアドレスカード情報は、アドレスカード印３２によって表される。モバイル通信デバイス１０に表示される電子メッセージサイズを減少させる方法は、モバイル通信デバイス１０によって電子メッセージを受信するステップであって、電子メッセージは、アドレスカード情報を含む、ステップと、電子メッセージの該アドレスカード情報を識別するステップと、モバイル通信デバイス１０に電子メッセージの減少したバージョンを自動的に表示するステップとを包含し、アドレスカード情報は、アドレスカード印３２によって表される。【選択図】図２
2008181531.tif 000002
【特許請求の範囲】
【請求項１】
モバイル通信デバイスに表示される電子メッセージサイズを減少させる方法であって、
該モバイル通信デバイスによって該電子メッセージを受信するステップであって、該電子メッセージは、アドレスカード情報を含む、ステップと、
該電子メッセージの該アドレスカード情報を識別するステップと、
該モバイル通信デバイスに該電子メッセージの減少したバージョンを自動的に表示するステップと
を包含し、
該アドレスカード情報は、アドレスカード印によって表される、方法。
【発明の詳細な説明】
【技術分野】
【０００１】
本発明の文書に記載される技術は、概して、電子メッセ−ジングシステムおよびデバイスの分野に関する。より詳細には、本発明の文書は、表示された電子メッセージのサイズを減少させるシステムおよび方法を説明する。本明細書で説明されるシステムおよび方法は、特に、モバイル通信デバイス（例えば、携帯電話、双方向ページングデバイス、パーソナルデジタルアシスタント（ＰＤＡ）等）での使用に十分適している。
【背景技術】
【０００２】
通常の電子メールプログラムによって、ユーザは、出て行く電子メッセージにアドレスカード情報を自動的に添付することが可能である。例えば、アドレスカード情報は、氏名、住所、電話番号、Ｅメールアドレスおよび／またはその電子メッセージを送る人物に関係する他の情報を識別するために、電子メッセージに含まれ得る。しかし、通常のモバイル通信デバイスは、フルサイズのデスクトップまたはラップトップコンピュータに比べて小さなディスプレイ面積がたいてい備わっている。従って、モバイル通信デバイスによって受信される電子メッセージに添付されたアドレスカード情報は、デバイスのディスプレイ面積の大部分を占め得る。
【発明の開示】
【発明が解決しようとする課題】
【０００３】
モバイル通信デバイスによって受信される電子メッセージに添付されたアドレスカード情報は、デバイスのディスプレイ面積の大部分を占め得る。
【課題を解決するための手段】
【０００４】
モバイル通信デバイスの電子メッセージサイズを減少させるシステムおよび方法が提供される。通信サブシステムは、通信ネットワークを介して電子メッセージを送受信するように動作可能であり得る。メモリサブシステムは、データおよびプログラム情報を記憶するように動作可能であり得る。プロセシングサブシステムは、そのメモリサブシステムにデータを記憶して取り出し、そのメモリサブシステムに記憶されたプログラムを実行し、その通信ネットワークを介してその通信サブシステムに電子メッセージを送受信させるように動作可能であり得る。ユーザインタフェースは、情報を表示するように動作可能であり得る。電子メッセ−ジングソフトウェアアプリケーションは、そのメモリサブシステムに記憶され得る。プロセシングサブシステムによって実行されるとき、その電子メッセ−ジングソフトウェアアプリケーションは、その通信サブシステムを介して電子メッセージを受信し、その電子メッセージ内のアドレスカード情報を識別し、そのユーザインタフェースに電子メッセージの減少したバージョンを自動的に表示するように動作し得る。そのアドレスカード情報は、その電子メッセージの減少したバージョン内のアドレスカード印によって表される。
【０００５】
このモバイル通信デバイスは、第１の電子メッセージを送信者から受信し、その送信者からの以後の電子メッセージで繰り返され得る第１の電子メッセージの一部を選択するように動作可能であり得る。このモバイル通信デバイスは、その後、その送信者からそのモバイル通信デバイスによって第２の電子メッセージを受信し得、その第１の電子メッセージおよびその第２の電子メッセージが共通の題目フィールドを含むかどうかを判定し得る。その第１の電子メッセージおよびその第２の電子メッセージが共通の題目フィールドを含まない場合、そのモバイル通信デバイスは、その第１の電子メッセージの選択された一部とその第２の電子メッセージとを比較して、繰り返される情報を識別し得る。このモバ
イル通信デバイスは、その後、第２の電子メッセージの減少したバージョンを表示し得る。ここで、繰り返される情報は、印によって表される。
【０００６】
本発明によるモバイル通信デバイスに表示される電子メッセージサイズを減少させる方法は、該モバイル通信デバイスによって該電子メッセージを受信するステップであって、該電子メッセージは、アドレスカード情報を含む、ステップと、該電子メッセージの該アドレスカード情報を識別するステップと、該モバイル通信デバイスに該電子メッセージの減少したバージョンを自動的に表示するステップとを包含し、該アドレスカード情報は、アドレスカード印によって表されることにより、上記目的を達成する。
【０００７】
ユーザインタフェースを介して選択されている前記アドレスカード印に応答して、前記モバイル通信デバイスに前記アドレスカード情報を表示するステップをさらに包含してもよい。
【０００８】
前記アドレスカード印は、前記アドレスカード情報の一部を含んでもよい。
【０００９】
前記アドレスカード印は、グラフィックアイコンを含んでもよい。
【００１０】
前記ユーザインタフェースを介して選択されている前記アドレスカード印に応答して、該アドレスカード印は、該アドレスカード情報が表示されていることを示すように修正されてもよい。
【００１１】
前記アドレスカード情報は、前記電子メッセージと、共通の送信者フィールドを有する以前に受信された電子メッセージとを比較することによって、識別されてもよい。
【００１２】
前記アドレスカード情報は、前記電子メッセージと記憶されたアドレスカード情報とを比較することによって識別されてもよい。
【００１３】
前記アドレスカード情報は、該アドレスカード情報の開始および終わりを識別する受信された電子メッセージに含まれる、隠されたタグを位置付けることによって識別されてもよい。
【００１４】
前記アドレスカード印が有効なアドレスカード情報を表すことを検証することをユーザに促すために警告印を表示するステップをさらに包含してもよい。
【００１５】
前記電子メッセージ内のさらなるアドレスカード情報を識別するステップと、該さらなるアドレスカード情報を表すために、前記電子メッセージの減少したバージョンのさらなるアドレスカード印を表示するステップとをさらに包含してもよい。
【００１６】
本発明によるモバイル通信デバイスに表示される電子メッセージサイズを減少させる方法は、第１の電子メッセージを送信者から受信するステップと、該送信者からの以後の電子メッセージで繰り返され得る該第１の電子メッセージの一部を選択するステップと、該送信者から第２の電子メッセージを受信するステップと、該第１の電子メッセージおよび該第２の電子メッセージが共通の題目フィールドを含むかどうかを判定するステップと、該第１の電子メッセージおよび該第２の電子メッセージが共通の題目フィールドを含まない場合、繰り返された情報を識別するために、該第１の電子メッセージの選択された一部と該第２の電子メッセージとを比較するステップと、該モバイル通信デバイスに該第２の電子メッセージの減少したバージョンを表示するステップとを包含し、該繰り返された情報は、印によって表されることにより上記目的を達成する。
【００１７】
前記モバイル通信デバイスは、前記印を選択するために用いられ得るユーザインタフェースを含み、該印が選択されることに応答して、該モバイル通信デバイスに前記繰り返された情報を表示するステップをさらに包含してもよい。
【００１８】
前記繰り返された情報をメモリ位置に記憶するステップと、第３の電子メッセージを前記送信者から受信するステップと、該第３の電子メッセージと該記憶された繰り返された情報とを比較することによって、該第３の電子メッセージ内の繰り返された情報を識別するステップと、該モバイル通信デバイスに該第３の電子メッセージの減少したバージョンを表示するステップとをさらに包含し、該繰り返された情報は、該印によって表されてもよい。
【００１９】
前記繰り返された情報は、アドレスカード情報を含んでもよい。
【００２０】
前記印は、前記アドレスカード情報の一部を含んでもよい。
【００２１】
前記印は、グラフィックアイコンを含んでもよい。
【００２２】
前記繰り返された情報がアドレスカード情報であることを検証するユーザ入力を受信するステップをさらに包含してもよい。
【００２３】
前記印を拒絶するユーザ入力を受信するステップと、前記電子メッセージの完全バージョンを表示するステップとをさらに包含し、該電子メッセージの完全バージョンは、前記繰り返された情報を含んでもよい。
【００２４】
前記第２の電子メッセージ内のアドレスカード情報を選択するユーザ入力を受信するステップと、前記モバイル通信デバイスに該第２の電子メッセージの検証済減少したバージョンを表示するステップとをさらに包含し、前記選択されたアドレスカード情報は、アドレスカード印によって表されてもよい。
【００２５】
本発明によるモバイル通信デバイスは、通信ネットワークを介して電子メッセージを送受信するように動作可能な通信サブシステムと、データおよびプログラム情報を記憶するように動作可能なメモリサブシステムと、該メモリサブシステムのデータを記憶および取り出し、該メモリサブシステムに記憶されたプログラムを実行し、該通信ネットワークを介して電子メッセージを該通信サブシステムに送受信させるように動作可能なプロセシングサブシステムと、情報を表示するように動作可能なユーザインタフェースと、該メモリサブシステムに記憶される電子メッセージングソフトウェアアプリケーションであって、該プロセシングサブシステムによって実行されるとき、通信サブシステムを介して電子メッセージを受信し、該電子メッセージ内のアドレスカード情報を識別し、該ユーザインタフェースに該電子メッセージの減少したバージョンを自動的に表示するように動作可能な電子メッセージングソフトウェアアプリケーションとを含み、該アドレスカード情報は、該電子メッセージの減少したバージョン内のアドレスカード印によって表されることにより、上記目的を達成する。
【発明の効果】
【００２６】
本発明により、モバイル通信デバイスの電子メッセージサイズを減少させるシステムおよび方法を提供することが出来る。
【発明を実施するための最良の形態】
【００２７】
ここでは、図面を参照する。図１は、モバイル通信デバイス１０に表示された通常の電子メッセージを示す。この電子メッセージは、送信者フィールド１２、題目フィールド１
４、メッセージ本体１６およびアドレスカード情報１８を含む。また、他のフィールドおよび／または他の情報（例えば、受信者フィールド（すなわち、「Ｔｏ」フィールド）、コピーフィールド（すなわち、「ｃｃ」フィールド）等）が表示されてもよい。その電子メッセージは、図７に示される例示的なモバイル通信デバイス４００を参照して以下で説明されるように、例えば、無線メッセ−ジングサービスを用いてモバイル通信デバイス１０で受信され、電子メッセージングソフトウェアを用いてデバイスに表示されてもよい。
【００２８】
図２は、アドレスカード情報１８がアドレスカード印３０、３２によって表される電子メッセージを表示するモバイル通信デバイス１０を示す。つまり、図１に示されるように、アドレスカード情報１８の完全なブロックを表示する代わりに、アドレスカード印３０が表示されて、受信されたメッセージがアドレスカード情報１８を含んでいることをデバイスユーザに通知する。図示された実施例では、そのアドレスカード印は、グラフィックアイコンと、そのアドレスカード情報１８の一部を示すテキスト文字列３０とを含む。しかし、他のアドレスカード印も用いられ得ることは、理解されるべきである。例えば、グラフィックアイコン３２またはテキスト文字列３０のみがそのアドレスカード印として表示され得るか、あるいは、いくつかの他のタイプの印が用いられ得るかである。
【００２９】
動作中、電子メッセージがモバイル通信デバイス１０によって受信されるとき、そのデバイスは、その電子メッセージのアドレスカード情報１８を識別する。電子メッセージを閲覧するときに、そのアドレスカード印３０は、識別されたアドレスカード情報１８の代わりに表示されて、ディスプレイ領域のスペースを確保する。その後、そのアドレスカード印３０は、ユーザインタフェースを介して選択され得、図３に示されるように、完全なアドレスカード情報１８を表示し得る。さらに、そのアドレスカード印３０が選択されると、異なるグラフィックアイコン４０が表示され得、そのアドレスカード情報１８が表示されていることを示し得る。例えば、図２の実施例では、そのアドレスカード印は、内側を示す矢印を有するアイコン３２を含む。そのアドレスカード印が選択されると、図３の実施例に示されるように、そのアドレスカード印は、下方向を示す矢印を有するアイコン４０を含み、そのアドレスカード情報１８が表示されていることを示す。
【００３０】
図４は、モバイル通信デバイスに表示された電子メッセージサイズを減少させる例示的な方法５０を示すフロー図である。この方法５０はステップ５２に開始し、ここで、電子メッセージがモバイル通信デバイスによって受信される。ステップ５４では、受信された電子メッセージが処理されて、送信者を識別する。例えば、送信者は、図１〜３に示される送信者フィールド１２から識別され得る。
【００３１】
一旦送信者が識別されると、この方法５０は、モバイル通信デバイスのメモリ位置にアクセスし、検証されたアドレスカード情報が識別された送信者に対して記憶されたかどうかを判定する。識別された送信者の検証済アドレスカード情報が位置付けられると、その方法はステップ５８に進む。ステップ５８では、電子メッセージが処理されて、検証済アドレスカード情報に適合するアドレスカード情報を位置付ける。その電子メッセージは、図２に示されるように、アドレスカード印によって表されている適合しているアドレスカード情報によってステップ６０で表示される。
【００３２】
検証済みアドレスカード情報がモバイル通信デバイスに以前に記憶されていない場合、この方法は、ステップ５６からステップ６２へ進む。ステップ６２では、デバイスメモリが検索されて、検証されていないアドレスカード情報が識別された送信者用に記憶されたかどうかを判定する。検証されていないアドレスカードが位置付けられている場合、この方法はステップ６８に進む。そうではない場合、検証されていないアドレスカード情報が位置付けられていない場合、この方法は、ステップ６４に進む。
【００３３】
ステップ６４では、受信されたメッセージの題目フィールド、およびメッセージ本体からの所定量（Ｎ個の文字）のテキストは、その送信者に関連する検証されていないアドレスカード情報としてメモリ位置に記憶される。例えば、この方法５０は、メッセージの題目フィールドと共に、送信者用の検証されていないアドレスカード情報として、終わりから１０００文字までの受信されたメッセージを格納し得る。しかし、記憶されていないアドレスカード情報が位置付けられたので、この方法５０は、ステップ６６で、いくらかのアドレスカード情報を含む受信された電子メッセージ全体を表示する。
【００３４】
他の実施例では、受信された電子メッセージからの検証されていないアドレスカード情報を選択するために、異なる方法が用いられ得る。例えば、受信された電子メッセージは、送信者フィールドに見つけられる送信者の電子メールアドレスの送信者名またはサブ文字列に適合するメッセージテキストを位置付けるように処理され得る。識別されたメッセージテキストで始まり、受信されたメッセージの終わりまでの情報の全ては、その後、検証されていないアドレスカード情報として記憶され得る。他の実施例では、この方法は、メッセージテキストを選択し、電話番号、電子メールアドレス、および／または、アドレスカード情報に通常含まれるいくつかの他の情報を含む検証されていないアドレスカード情報として記憶し得る。
【００３５】
ステップ６８では、受信された電子メッセージの題目フィールドは、記憶された検証されていないアドレスカード情報と比較される。受信された電子メッセージが、検証されていないアドレスカード情報と共に記憶された題目と同じ題目を含むと判定される場合、この方法は、ステップ７０からステップ７２へ進み、いくつかのアドレスカード情報を含む電子メッセージ全体が表示される。しかし、検証されていないアドレスカード情報と異なる題目フィールドを受信された電子メッセージが含む場合、この方法は、ステップ７０からステップ７２へ進み、記憶された検証されていないアドレスカード情報内の情報と適合する受信されたメッセージのアドレスカード情報を位置付ける。その後、適合しているアドレスカード情報は、ステップ７６で検証されたアドレスカード情報として記憶され、その電子メッセージは、図２に示されるように、アドレスカード印によって表されている適合しているアドレスカード情報と共に、ステップ７８で表示される。この様態で、同じ送信者から受信される２つの別々の電子メッセージに同じ情報が含まれる（すなわち、異なる題目フィールドを有する２つの電子メッセージ）場合、この繰り返された情報は、アドレスカード情報として検証され、アドレスカード印として表示される。
【００３６】
図５は、モバイル通信デバイスに表示される電子メッセージサイズを減少させる続きの例示的な方法８０を示すフロー図である。図５に示されるこの方法８０は、ステップ６０で開始し、ここで、アドレスカード印は、モバイル通信デバイスに表示されている。ステップ８４では、この方法は、これが、特定の送信者のアドレスカード情報がアドレスカード印の形式で表示される１回目かどうかを判定する。１回目である場合、ステップ８８では、アドレスカード印と共に警告印が表示される。例えば、図２を参照して、送信者（ジョン  スミス（ＪＯＨＮ  ＳＭＩＴＨ））から受信されたメッセージに対して、アドレスカード印３０、３２がモバイル通信デバイス１０に表示されている１回目である場合、いくつかの追加の警告印も含まれ得る。例えば、説明ポイントが表示されてもよいし、アドレスカード印３０、３２が赤で表示されてもよいし、あるいは、いくつかの他の警告印が用いられて、有効なアドレスカード情報１８がアドレスカード印３０、３２によって表されること保証することをユーザに促すように用いられてもよい。
【００３７】
ステップ９０では、この方法８０は、ユーザがアドレスカード印を選択することを待機する。アドレスカード印が選択される場合、図３に示されるように、完全なアドレスカード情報が表示される。アドレスカード情報が表示されている間、ユーザはまた、ステップ９４でオプションメニューを選択してもよい。そのオプションメニューが選択される場合
、ａ）表示されたアドレスカード情報が妥当であることを確認する（ステップ９６および１０２）ことを選択してもよいし、ｂ）受信されたメッセージからの情報を手動で選んで、検証されたアドレスカード情報として記憶する（ステップ９８、１０２および１０４）ことを選択してもよいし、ｃ）アドレスカード印を拒絶して、記憶されたアドレスカード情報を消去する（ステップ１００および１０６）ことを選択してもよい。
【００３８】
図６は、モバイル通信デバイスで受信された電子メッセージサイズをさらに減少させる例示的な方法２００を図示するフロー図である。この方法２００は、ステップ２０１で開始する。ここで、電子メッセージは、モバイル通信デバイスによって受信される。ステップ２０２では、（例えば、図４を参照して説明されたように）受信された電子メッセージが処理され、送信者のアドレスカード情報を位置付け、アドレスカード印によってアドレスカード情報を表すことによってモバイル通信デバイスに電子メッセージの減少したバージョンを自動的に表示する。
【００３９】
ステップ２０３において、その電子メッセージがさらに処理され、その電子メッセージ内に組み込まれたいずれかのアドレスフィールドを位置付ける。例えば、その電子メッセージが返信または転送メッセージである場合、以前の電子メッセージは、受信された電子メッセージ内に組み込まれ得る。組み込まれていないアドレスフィールドが位置付けられる場合、この方法はステップ２０４で終了する。そうではない場合、組み込まれたアドレスフィールドが位置付けられると、送信者アドレスは、ステップ２０６で組み込まれたアドレス情報から識別され、この方法はステップ２０８へ続く。
【００４０】
ステップ２０８において、この方法は、組み込まれたアドレスフィールドに位置付けられた識別された送信者アドレスとして、検証されたアドレスカード情報が格納されたかどうかを判定する。検証されたアドレスカード情報が位置付けられない場合、この方法はステップ２０４で終了する。そうではない場合、検証されたアドレスカード情報が位置付けられると、その電子メッセージはステップ２１０で処理され、検証されたアドレスカード情報を有する受信されたメッセージのアドレスカード情報と適合する。その後、適合しているアドレスカード情報は、ステップ２１２において、アドレスカード印として表示され、この方法はステップ２０２に戻り、いくつかのさらなる組み込まれたアドレスを位置付ける。
【００４１】
図７は、例示的なモバイル通信デバイス４００を示すブロック図である。このモバイル通信デバイス４００は、プロセシングサブシステム４３８、通信サブシステム４１１、ショートレンジ通信サブシステム４４０、メモリサブシステム４２４、４２６および様々な他のデバイスサブシステムおよび／またはソフトウェアモジュール４４２を含む。このモバイル通信デバイス４００はまた、ユーザインタフェースを含む。ユーザインタフェースは、ディスプレイ４２２、キーボード４３０、スピーカ４３２、マイクロフォン４３６、１つ以上の補助入力／出力デバイス４２８、シリアルポート４３０、および／または、他のユーザインタフェースデバイスを含んでもよい。
【００４２】
このプロセシングシステム４３８は、モバイル通信デバイス４００の動作全体を制御する。このプロセシングサブシステム４３８によって実行されるオペレーティングシステムソフトウェアは、フラッシュメモリ４２４等の持続性記憶装置に格納されてもよいが、メモリサブシステムの他のタイプのメモリデバイス（例えば、読み出し専用メモリ（ＲＯＭ）または同様の格納素子）に記憶されてもよい。さらに、システムソフトウェア、特定のデバイスアプリケーション、あるいはそれらの一部が揮発性記憶装置（例えば、ランダムアクセスメモリ（ＲＡＭ）４２６）に一時的にロードされてもよい。このモバイル通信デバイス４００によって受信される通信信号は、また、ＲＡＭ４２６に記憶されてもよい。
【００４３】
このプロセシングサブシステム４３８は、そのオペレーティングシステムの機能に加えて、デバイス４００でソフトウェアアプリケーション４２４を実行可能にする。基本的なデバイス動作（例えば、データおよび音声通信）を制御するアプリケーションの所定のセットは、製造中にデバイス４００にインストールされ得る。さらに、電子メッセ−ジングアプリケーション４２４Ｃを含むパーソナルインフォメーションマネージャ（ＰＩＭ）アプリケーションがデバイスにインストールされてもよい。このＰＩＭは、例えば、データアイテム（例えば、Ｅメール、カレンダーイベント、音声メール、アポイントメント、およびタスクアイテム）を統括かつ管理するように動作可能であってもよい。このＰＩＭアプリケーションは、また、無線ネットワーク４１９を介してデータアイテムを送受信するように動作可能であってもよい。この電子メッセ−ジングソフトウェアアプリケーション４２４Ｃは，ＰＩＭアプリケーションの一部か、それと離れているかにかかわらず、デバイス４００に表示される電子メッセージサイズを減少させるように本明細書に記載された機能を実行し得る。
【００４４】
データおよび音声通信通信を含む通信機能は、通信サブシステム４１１を通して（ショートレンジサブシステム４００を通しても可能）実行される。この通信サブシステム４１１は、受信器４１２、送信器４１４および１つ以上のアンテナ４１６、４１８を含む。さらに、この通信サブシステム４１１は、また、プロセシングモジュール（例えば、デジタル信号プロセッサ（ＤＳＰ）４２０または他のプロセシングデバイス（単数または複数））、および、ローカル発振器（ＬＯｓ）４１３を含む。この通信サブシステム４１１の特定の設計および実施は、モバイル通信デバイス４００が動作するべき通信ネットワークに依存している。例えば、モバイル通信デバイス４００は、ＭｏｂｉｔｅｘＴＭモバイル通信システム、ＤａｔａＴＡＣＴＭモバイル通信システム、ＧＳＭネットワーク、ＧＰＲＳネットワーク、ＵＭＴＳネットワーク、および／またはＥＤＧＥネットワーク内で動作可能であるように設計される通信サブシステム４１１を含んでもよい。
【００４５】
ネットワークアクセスの要件は、通信システムのタイプに応じて変化する。例えば、ＭｏｂｉｔｅｘおよびＤａｔａＴＡＣネットワークでは、モバイル通信デバイスは、固有の個人識別番号または各デバイスに関連するＰＩＮを用いてネットワークに登録される。しかし、ＵＭＴＳおよびＧＳＭ／ＧＰＲＳネットワークでは、ネットワークアクセスは、加入者またはデバイスのユーザに関連する。従って、ＧＰＲＳデバイスは、ＧＳＭ／ＧＰＲＳネットワークで動作するために、ＳＩＭカードと通常呼ばれる加入者識別モジュールを必要とする。
【００４６】
必要とされるネットワーク登録または起動（ａｃｔｉｖａｔｉｏｎ）手順が完了すると、このモバイル通信デバイス４００は、通信ネットワーク４１９を介して通信信号を送受信し得る。この通信ネットワーク４１９からアンテナ４１６によって受信された信号は、受信器４１２にルーティングされる。この受信器４１２は、信号増幅、周波数ダウンコンバート、フィルタリング、チャネル選択等を提供し、アナログ−デジタル変換を提供してもよい。受信された信号のアナログ−デジタル変換によって、ＤＳＰは、復調およびデコーディング等のより複雑な通信機能を実行することが可能となる。同様の様態で、ネットワーク４１９に送信されるべき信号は、ＤＳＰ４２０によって処理され（変調およびエンコーディングされ）、その後、アナログ変換、周波数アップコンバート、フィルタリング、増幅、およびアンテナ４１８を介しての通信ネットワーク４１９（またはネットワーク）への送信のために送信器４１４に提供される。
【００４７】
通信信号を処理することに加えて、ＤＳＰ４２０は、受信器４１２および送信器４１４の制御を提供する。例えば、受信器４１２および送信器４１４の通信信号に加えられた利得は、ＤＳＰ４２０で実施される自動利得制御アルゴリズムを通して順応して制御され得る。
【００４８】
データ通信モジュールでは、受信された信号（例えば、テキストメッセージまたはダウンロードされたウェブページ）が通信サブシステム４１１によって処理され、プロセシングデバイス４３８に入力される。受信された信号は、その後、ディスプレイ４２２、あるいは代替的に、いくつかの他の補助Ｉ／Ｏデバイス４２８に出力するためにプロセシングデバイス４３８によってさらに処理される。デバイスユーザはまた、キーボード４３８および／または他のいくつかの補助Ｉ／Ｏデバイス４２８（例えば、タッチパッド、ロッカースイッチ、サムホイール、またはいくつかの他のタイプの入力デバイス）を用いてＥメールメッセージ等のデータアイテムを作成し得る。作成されたデータアイテムは、その後、通信サブシステム４１１を介して通信ネットワーク４１９に送信され得る。
【００４９】
音声通信モードでは、受信された信号がスピーカ４３４に出力され、送信用の信号がマイクロフォン４３６によって作られること以外、デバイスの動作全体がデータ通信モードに実質的に類似している。代替の音声またはオーディオＩ／Ｏサブシステム（例えば、音声メッセージ記録サブシステム）もデバイス４００で実施され得る。さらに、ディスプレイ４２２も音声通信モードで利用され得、例えば、音声を発している者（ｃａｌｌｉｎｇ）のアイデンティティ、音声コールの持続期間、または他の音声コール関連情報を表示し得る。
【００５０】
このショートレンジ通信サブシステム４４０によって、モバイル通信デバイス４００と他の近似のシステムまたはデバイスと（必ずしも類似のデバイスである必要はない）の間の通信が可能となる。例えば、このショートレンジ通信サブシステム４４０は、赤外線デバイス、ならびに、関連回路および関連素子、あるいは、ＢｌｕｅｔｏｏｔｈＴＭ通信モジュールを含み得、類似の可能なシステムおよびデバイスとの通信を提供し得る。
【００５１】
ここに記載された説明は、本発明を開示する実施例を用いており、最良の形態を含んでいる。また、当業者が本発明を製作し、用いることが可能である。本発明の特許可能な範囲は当業者に対して生じる他の実施例を含んでもよい。例えば、図８に示されるように、電子メッセージと共に表示された印が、アドレスカード情報以外の繰り返し情報、または、アドレスカード情報に追加の繰り返し情報を表してもよい。つまり、電子メッセージに繰り返して添付される任意のタイプの情報が表示されたメッセージ内にいくつかの印（例えば、アドレスカード印）によって表されてもよい。図８の実施例では、アドレスカード印３０、４０は、アドレスカード情報１８に追加して繰り返し情報５０２を表すものと示されている。特に、図８の実施例は、送信者、ジョン  スミス（ＪＯＨＮ  ＳＭＩＴＨ）から受信されたメッセージに添付された機密を示す警告５０２を示す。ある１つのさらなる実施例では、表示されたメッセージのアドレスカード印によって表されるべきアドレスカード情報は、アドレスカード情報の最初および終わりを示す電子メッセージにいくつかのタイプの隠されたタグ（例えば、ＨＴＭＬタグ）を含むことによって識別されてもよい。
【００５２】
以上のように、３Ｄ  ＲＲＡＭが開示され、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００５３】
モバイル通信デバイスの電子メッセージサイズを減少させるシステムおよび方法が提供される。このモバイル通信デバイスは、受信された電子メッセージ内のアドレスカード情報を識別し得る。このモバイル通信デバイスは、その後、モバイル通信デバイスに電子メッセージの減少バージョンを自動的に表示し得る。そのアドレスカード情報は、アドレス
カード印によって表される。
【図面の簡単な説明】
【００５４】
【図１】図１は、モバイル通信デバイス上に表示された通常の電子メッセージを示す。
【図２】図２は、アドレスカード情報がアドレスカード印によって表されている電子メッセージを表示するモバイル通信デバイスを示す。
【図３】図３は、アドレスカード印が選択されて、表されたアドレスカード情報を表示している電子メッセージを表示しているモバイル通信デバイスを示す。
【図４】図４は、モバイル通信デバイス上に表示された電子メッセージサイズを減少させる例示的な方法を示すフロー図である。
【図５】図５は、モバイル通信デバイス上に表示された電子メッセージサイズを減少させる続きの例示的な方法を示すフロー図である。
【図６】図６は、モバイル通信デバイスに受信された電子メッセージサイズをさらに減少させる例示的な方法を示すフロー図である。
【図７】図７は、例示的なモバイル通信デバイスを示すブロック図である。
【図８】図８は、さらなる情報がアドレスカード印によって表されている電子メッセージを表示しているモバイル通信デバイスを示す。
【符号の説明】
【００５５】
１０  モバイル通信デバイス
１２  送信者フィールド
１４  題目フィールド
１６  メッセージ本体
１８  アドレスカード情報
３０  アドレスカード印
３２  アドレスカード印
４０  アイコン
【図１】
2008181531.tif 000003
【図２】
2008181531.tif 000004
【図３】
2008181531.tif 000005
【図４】
2008181531.tif 000006
【図５】
2008181531.tif 000007
【図６】
2008181531.tif 000008
【図７】
2008181531.tif 000009
【図８】
2008181531.tif 000010